(57)【要約】【課題】携帯電話等の携帯用電子機器に搭載した場合に携帯用電子機器が有する規定のスペースにスピーカ装置を収容可能とするスピーカ用磁気回路を提供する。【解決手段】開示されるスピーカ用磁気回路１は、少なくとも内磁石１２と、ヨーク１１と、固定部材１６とを備えている。このスピーカ用磁気回路１では、固定部材１６が内磁石１２を収容した状態において、ヨーク１１に係合することにより、内磁石１２がヨーク１１に固定されている。【選択図】図１
2010154443.tif 000002
【特許請求の範囲】
【請求項１】
少なくとも磁石と、ヨークと、固定部材とを備え、
前記固定部材が前記磁石を収容した状態において、前記ヨークに係合することにより、前記磁石が前記ヨークに固定されている
ことを特徴とするスピーカ用磁気回路。
【請求項２】
前記固定部材は係合部を備え、
前記係合部が前記ヨークに形成されている開口部に挿入され、折り曲げられて前記ヨークと係合している
ことを特徴とする請求項１に記載のスピーカ用磁気回路。
【請求項３】
前記固定部材は、前記磁石を収容する収容部を備えている
ことを特徴とする請求項２に記載のスピーカ用磁気回路。
【請求項４】
前記収容部の音響放射側の面には、開口部が形成されている
ことを特徴とする請求項３に記載のスピーカ用磁気回路。
【請求項５】
前記ヨークに形成されている開口部は、外部と連通している
ことを特徴とする請求項４に記載のスピーカ用磁気回路。
【請求項６】
前記係合部は、前記収容部の端部から前記収容部の内側に向かって延在している
ことを特徴とする請求項５に記載のスピーカ用磁気回路。
【請求項７】
前記係合部は、前記ヨークの内側に向かって延在して前記ヨークの底部を支持している
ことを特徴とする請求項５に記載のスピーカ用磁気回路。
【請求項８】
前記係合部の端部は、前記ヨークの前記磁石が固定されている面とは反対の面にて、前記ヨークの中心に対し、点対称となるように配置されている
ことを特徴とする請求項７に記載のスピーカ用磁気回路。
【請求項９】
前記係合部にて支持される前記ヨークの底部は、前記ヨークの前記磁石が固定されている面とは反対の面に、凹部が形成されている
ことを特徴とする請求項８に記載のスピーカ用磁気回路。
【請求項１０】
前記固定部材は、高導電率材料で構成されている
ことを特徴とする請求項９に記載のスピーカ用磁気回路。
【請求項１１】
前記磁石の上にプレートが重ねられている
ことを特徴とする請求項１に記載のスピーカ用磁気回路。
【請求項１２】
請求項１に記載のスピーカ用磁気回路と、
前記スピーカ用磁気回路を支持するフレームと、
前記フレームに支持される振動体と、を備え、
前記振動体は、エッジ部、振動部、ボイスコイルを備えている
ことを特徴とするスピーカ装置。
【請求項１３】
請求項１２に記載のスピーカ装置を備えている
ことを特徴とする電子機器。
【発明の詳細な説明】
【技術分野】
【０００１】
本発明は、特に、携帯電話、携帯ラジオあるいはＰＤＡ（Personal Digital Assistants）等の携帯用電子機器に搭載される小型のスピーカ装置に使用して好適なスピーカ用磁気回路、このスピーカ用磁気回路を有するスピーカ装置及びこのスピーカ装置を備えている電子機器に関する。
【背景技術】
【０００２】
従来のスピーカ装置には、ボイスコイルを固定した振動板と、ヨークと、このヨークに固定した磁石と、この磁石に固定したトッププレートとからなる磁気回路部をフレームに固定したものがある。このスピーカ装置では、ヨーク、磁石、トッププレートの中央部に貫通穴を設け、この貫通穴にフレームより直立する支持軸を挿通して、この支持軸の頭部をかしめている（例えば、特許文献１参照。）。
【０００３】
【特許文献１】特開２００３−２８９５９６号公報（請求項１，［００１１］，［００１４］〜［００１７］、図１〜図３）
【発明の開示】
【発明が解決しようとする課題】
【０００４】
上記した従来のスピーカ装置では、フレームの底部がヨークの底部の下方に配置されている必要があるので、スピーカ装置の厚さが比較的大きくなり、携帯電話等の携帯用電子機器が有する規定のスペースにスピーカ装置を収容することが困難になる。
本発明は、上述した事情に鑑みてなされたものであり、上述のような問題を解決することを課題の一例とするものであり、これらの課題を解決することができるスピーカ用磁気回路、スピーカ装置及び電子機器を提供することを目的とする。
【課題を解決するための手段】
【０００５】
上記課題を解決するために、請求項１に記載の発明に係るスピーカ用磁気回路は、少なくとも磁石と、ヨークと、固定部材とを備え、前記固定部材が前記磁石を収容した状態において、前記ヨークに係合することにより、前記磁石が前記ヨークに固定されていることを特徴としている。
【０００６】
また、請求項１２に記載の発明に係るスピーカ装置は、請求項１に記載のスピーカ用磁気回路と、前記スピーカ用磁気回路を支持するフレームと、前記フレームに支持される振動体と、を備え、前記振動体は、エッジ部、振動部、ボイスコイルを備えていることを特徴としている。
【０００７】
また、請求項１３に記載の発明に係る電子機器は、請求項１２に記載のスピーカ装置を備えていることを特徴としている。
【発明を実施するための最良の形態】
【０００８】
以下、図面を参照して本発明を実施するための最良の形態について説明する。
実施の形態１．
図１は、本発明の実施の形態１に係るスピーカ用磁気回路１を適用したスピーカ装置の構成を示す概略断面図、図２は、図１に示すスピーカ装置において振動体３を取り除いた状態における構成のうち、図１とは異なる部分（図３参照）で切断した概略断面図である。また、図３は、図２に示すスピーカ装置において外プレート１５を取り除いた状態における斜視図、図４は、図１に示すスピーカ装置の構成を示す背面図である。なお、図１は、図３に示すスピーカ装置において振動体３及び外プレート１５が取り付けられた状態におけるＡ−Ａ断面図、図２は、図３のＢ−Ｂ断面図である。
【０００９】
本実施の形態１に係るスピーカ装置は、スピーカ用磁気回路１と、フレーム２と、振動体３とを有している。スピーカ用磁気回路１は、ヨーク１１と内プレート１４及び外プレート１５とにより内磁石１２及び外磁石１３を挟持する内磁型でかつ外磁型（以下、「内磁型」と呼称する。）であって、内プレート１４及び内磁石１２が固定部材１６によりヨーク１１に固定されている。なお、本実施の形態１では、内磁型のスピーカ用磁気回路１を採用する例を示しているが、これに限定されず、後述するボイスコイルに対し外側に磁石が配置される外磁型のスピーカ用磁気回路、ボイスコイルに対し内側にのみ磁石が配置される内磁型のスピーカ用磁気回路を採用しても良い。
また、本実施の形態１では、内磁石１２及び外磁石１３はその厚さ方向に着磁されている例を示しているが、これに限定されず、厚さ方向に対し交差する方向、例えば水平方向に着磁された、いわゆる「ラジアル型磁石」を用いても構わない。ラジアル型磁石を用いる場合には、内プレート１４及び外プレート１５を用いなくても良いので、スピーカ用磁気回路１は、ヨーク１１と内磁石１２及び外磁石１３を有することになる。
【００１０】
ヨーク１１は、例えば、純鉄、無酸素鋼、ケイ素鋼等の磁性材料からなる。ヨーク１１は、図５に示すように、平面の全体形状が略矩形状を呈しており、四隅には面取りが施されている。図５は、図１に示すスピーカ装置を構成するヨーク１１の構成を示す背面図である。ヨーク１１の対向する２辺１１ａ及び１１ｃのそれぞれの中央であって、それぞれの近傍には、略矩形状を呈する貫通孔１１ｅ及び１１ｇがそれぞれ穿設されている。一方、ヨーク１１の対向する２辺１１ｂ及び１１ｄのそれぞれの中央であって、辺１１ｂと辺１１ｄとの距離を略３分する位置には、略矩形状を呈する貫通孔１１ｆ及び１１ｈがそれぞれ穿設されている。貫通孔１１ｅ、１１ｆ、１１ｇ及び１１ｈは、いずれも略同一の矩形状を呈しており、略同一寸法である。
【００１１】
内磁石１２及び外磁石１３は、例えば、希土類系（例えば、ネオジム系）、サマリウム・コバルト系、アルニコ系、フェライト系磁石等の永久磁石等からなる。内磁石１２は、略矩形状を呈している。一方、外磁石１３は、略角環形状を呈している。内磁石１２及び外磁石１３のそれぞれの外周の四隅にはいずれも面取りが施されている。また、外磁石１３の内周の四隅にも面取りが施されている。外磁石１３の外径は、ヨーク１１の外径と略同一又はわずかに大きい。
【００１２】
内プレート１４及び外プレート１５は、例えば、純鉄、無酸素鋼、ケイ素鋼等の磁性材料からなる。内プレート１４の平面形状は、略矩形状を呈している。一方、外プレート１５の平面形状は、略角環形状を呈している。図示しないが、内プレート１４及び外プレート１５のそれぞれの外周の四隅にはいずれも面取りが施されている。また、同じく図示しないが、外プレート１５の内周の四隅にも面取りが施されている。外プレート１５の外径は、ヨーク１１の外径と略同一又はわずかに小さい。内プレート１４の外周四隅の面取り及び外プレート１５の内周四隅の面取りは、いずれも、後述するボイスコイル支持部２２との接触を避けるために、所定の間隙（クリアランス）を維持する必要上施されている。外プレート１５の内径は、外磁石１３の内径と略同一又はわずかに小さい。
【００１３】
内磁石１２及び内プレート１４は、互いの厚み方向の中心軸がほぼ重なるように、固定部材１６を構成する収容部１７に収容されている。固定部材１６は、例えば、銅、アルミニウム、亜鉛めっき鋼等の高導電率材料からなる。固定部材１６は、図６に示すように、平面の全体形状が略矩形状を呈しており、上部外周四隅には面取りが施されている。
【００１４】
固定部材１６は、上板部１６ａと、角環部１６ｂと、垂下部１６ｃ、１６ｄ、１６ｅ及び１６ｆとが一体に形成されて構成されている。上板部１６ａは、略矩形状を呈する開口部１６ａａが穿設されている。上板部１６ａの外周縁には、略角環形状を呈する角環部１６ｂが形成されている。角環部１６ｂの四辺の略中央には、それぞれ垂下部１６ｃ、１６ｄ、１６ｅ及び１６ｆが形成されている。固定部材１６は、未使用状態では、垂下部１６ｃ、１６ｄ、１６ｅ及び１６ｆが折り曲げられることなく、それぞれの先端１６ｃａ、１６ｄａ、１６ｅａ及び１６ｆａまで、対応する角環部１６ｂの各辺と略同一平面上に位置するように形成されている。
【００１５】
ヨーク１１に内プレート１４及び内磁石１２を固定部材１６を用いて固定するには、まず、内プレート１４が上側、内磁石１２が下側となるように重ねた状態で、固定部材１６を構成する上板部１６ａの下面に内プレート１４の上面が接するように固定部材１６に収容する。次に、内部に内プレート１４及び内磁石１２が収容された固定部材１６の垂下部１６ｃ、１６ｄ、１６ｅ及び１６ｆの各先端１６ｃａ、１６ｄａ、１６ｅａ及び１６ｆａを、ヨーク１１に穿設された対応する貫通孔１１ｅ、１１ｆ、１１ｇ及び１１ｈに挿入し、内磁石１２の下面をヨーク１１の上面に当接させる。そして、図４に示すように、垂下部１６ｃ、１６ｄ、１６ｅ及び１６ｆの各先端１６ｃａ、１６ｄａ、１６ｅａ及び１６ｆａをヨーク１１の下面（底部）中心１１ｊに向かって折り曲げる。これにより、固定部材１６を構成する垂下部１６ｃ、１６ｄ、１６ｅ及び１６ｆの各先端１６ｃａ、１６ｄａ、１６ｅａ及び１６ｆａがヨーク１１の底部に係合し、ヨーク１１に内プレート１４及び内磁石１２が固定される。以上説明したように使用される固定部材１６は、内磁石１２及び内プレート１４が収容される収容部１７と、ヨーク１１の底部に係合する係合部１８とから構成されているということができる。
【００１６】
なお、垂下部１６ｃ、１６ｄ、１６ｅ及び１６ｆの各先端１６ｃａ、１６ｄａ、１６ｅａ及び１６ｆａは、すべてをヨーク１１の下面（底部）中心１１ｊに向かって折り曲げることに限定されず、先端１６ｃａ、１６ｄａ、１６ｅａ及び１６ｆａのすべて又は一部をヨーク１１の下面中心１１ｊから遠ざかる方向に折り曲げても良い。ただし、前者の方が、後者と比較して、ヨーク１１の底部における占有面積が小さい点で有利である。固定強度としては、固定部材１６の素材や製造方法等が関係するので、一概に前者が後者と比較して強いとは言えない。
【００１７】
ここで、内磁石１２及び内プレート１４をヨーク１１に固定する固定方法として、複数の構成要素が係わり合うという意味の「係合」に対応した固定方法を用いているが、これに限定されない。内磁石１２及び内プレート１４をヨーク１１に固定する固定方法としては、例えば、複数の構成要素が係わり合って止まるという意味の「係止」、複数の構成要素が離れないように合わせるという意味の「結合」、複数の構成要素が継ぎ合わせるという意味の「接合」、形状が合った複数の構成要素を嵌め合わせるという意味の「嵌合」のそれぞれに対応した固定方法を用いても良い。
【００１８】
要するに、ヨーク１１に内磁石１２又は内プレート１４を固定する際に、接着剤を用いず、かつ、少なくともスピーカ装置の音響放射方向に平行な方向のスピーカ用磁気回路１の厚さが増加しない固定方法であれば、どのような固定方法を用いても良い。特許請求の範囲における「係合」には、本来の意味での「係合」の他、上記した「係止」及び「嵌合」並びに、いずれも接着剤を用いた接着の概念を含まない「結合」及び「接合」の意味も含まれているものとする。これらを総称して、「機械的な固定」と呼ぶこともできる。
なお、ヨーク１１と固定部材１６との接合力を向上させるために、接着剤や溶接等の公知の技術を用いることはできる。
【００１９】
ヨーク１１の上面であって、周辺部１１ｍには、外磁石１３及び外プレート１５が順次接着剤等により固定される。以上説明したように組み立てられたスピーカ用磁気回路１は、その外周面、すなわち、外プレート１５の外周面、外磁石１３の外周面及びヨーク１１の外周面がフレーム２の内周面に接着剤等により固定されることにより、フレーム２内に収容されている。スピーカ用磁気回路１は、固定部材１６に収容された内プレート１４の外周部と、外プレート１５の内周部との間に磁気ギャップが形成されている。この磁気ギャップには全周に亘って略均一な磁束密度分布が形成されている。
【００２０】
フレーム２は、全体形状が中空の略直方形状を呈している。フレーム２は、例えば、鉄系金属、非鉄金属又はそれらの合金、合成樹脂などから構成されている。鉄系金属としては、例えば、純鉄、無酸素鋼又はケイ素鋼等がある。非鉄金属としては、例えば、アルミニウム、マグネシウム又は亜鉛等がある。合成樹脂としては、例えば、ポリプロピレン（ＰＰ）などのオレフィン系、ＡＢＳ（アクリロニトリル・ブダジエン・スチレン）、ポリエチレンテレフタレート（ＰＥＴ）系などの熱可塑性樹脂、又は前述した熱可塑性樹脂に、補強用フィラーとしてガラス繊維又はフィブリル化したサーモトロピック液晶ポリエステル樹脂を添加してなるものなどがある。フレーム２は、例えば、鉄系金属を絞り成形したり、非鉄金属又はそれらの合金をダイキャスト成形したり、合成樹脂を射出成形したりして形成されている。
【００２１】
振動体３は、振動板２１と、ボイスコイル２２とを備えている。振動板２１は、第１振動部３１と、ボイスコイル支持部（ボイスコイルボビン）３２と、第２振動部３３と、エッジ３４とを有している。振動板２１は、平面形状が略矩形状を呈している。
本実施の形態１では、ボイスコイル支持部３２は平坦状に形成され、ボイスコイル２２の上端部がボイスコイル支持部３２に接着剤等で接合されている。しかし、これに限定されず、ボイスコイル支持部がボイスコイル２２を収容できる形状、つまり音響放射方向とは逆側に向かって凸状（例えば、コの字状）に形成されて、ボイスコイル支持部の上面側にボイスコイル２２が配置されていても構わない。
【００２２】
振動板２１の材料としては、例えば、紙、繊維を用いた織布、繊維を用いた編み物、不織布、繊維を用いた織布にフェノール系樹脂やシリコーン系樹脂等の樹脂、又はこれらの樹脂と有機溶媒からなる溶液を含浸させたもの、金属材料、合成樹脂、アクリル発泡体、合成樹脂と金属とからなるハイブリッド材などがある。金属材料には、例えば、アルミニウムやチタニウム、ジュラルミン、ベリリウム、マグネシウム、あるいはこれらの合金等がある。合成樹脂には、例えば、ポリプロピレン、ポリエチレン、ポリスチレン、ポリエチレンテレフタレート、ポリエチレンナフタレート、ポリメチルメタアクリレート、ポリカーボネイト、ポリアリレート、エポキシ樹脂、ポリサルホン、ウレタン結合を有するポリウレタン、ゴムなどがある。
【００２３】
第１振動部３１の縦断面形状は、中央部がスピーカ装置の背面側（音響放射方向に対して反対側）に略台形状に突出し、外周部がスピーカ装置の表面側（音響放射方向）に略台形状に突出した形状を呈している。これに限定されず、第１振動部３１の縦断面形状を平板状、湾曲状に形成しても構わない。第１振動部３１の外周部には、ボイスコイル支持部３２が一体に形成されている。ボイスコイル支持部３２の平面形状は、略角環形状を呈している。ボイスコイル支持部３２の下面には、所定回数巻き回され、成形されたボイスコイル２２が接着剤等により固定されている。ボイスコイル２２は、スピーカ用磁気回路１の内プレート１４の外周部と、外プレート１５の内周部との間に形成された磁気ギャップ内に遊挿されている。
【００２４】
ボイスコイル支持部３２の外周部には、第２振動部３３が一体に形成されている。第２振動部３３の縦断面形状は、中央部がスピーカ装置の表面側（音響放射方向）に略台形状に突出した形状を呈している。これに限定されず、第２振動部３３の縦断面形状を平板状、又は湾曲状に形成しても構わない。第２振動部３３の外周部には、エッジ３４が一体に形成されている。エッジ３４は、平面形状が略角環形状を呈するとともに、縦断面形状がスピーカ装置の表面側（音響放射方向）に突出した略ロール形状を呈している。エッジ３４は、適度なコンプライアンス（剛性）を備えており、非通気性を有している。エッジ３４の外周部の縦断面形状は、平坦形状を呈している。エッジ３４の外周部上面は、バッフル２３を介してフレーム２の上部に固定されている。エッジ３４とバッフル２３、バッフル２３とフレーム２の上部とは、それぞれ接着剤等により固定されている。バッフル２３の平面形状は、略角環形状を呈している。
【００２５】
このように、本発明の実施の形態１によれば、固定部材１６の収容部１７が内プレート１４及び内磁石１２を収容した状態において、固定部材１６の係合部１８がヨーク１１の底部に係合することにより、接着剤を用いることなく、内プレート１４及び内磁石１２をヨーク１１に固定している。したがって、内磁石１２を内プレート１４と同じ大きさにした場合であっても、内プレート１４と内磁石１２との接合面から接着剤がはみ出し、はみ出した接着剤がボイスコイル２２等のスピーカ装置の構成要素に接触したり付着したりする等して、異音を発生させる等のスピーカ装置の性能に影響を与える虞を抑止することができる。また、接着剤を用いないので、スピーカ装置の製造工程において、接着剤を用いた場合と比べて接着剤の乾燥装置や乾燥時間を設けることがなく、その分、設備を安価に構成できるとともに、作業環境が改善され、作業効率の向上を図ることができる。
【００２６】
また、本発明の実施の形態１によれば、特に、携帯電話等の携帯用電子機器に搭載されるスピーカ装置など、小型化したスピーカ装置において、内プレート１４や内磁石１２等の構成要素が小さくても、接着剤を用いて各構成要素を固定せずに固定部材１６を用いてヨーク１１に強固に固定しているので、十分な固定強度を得ることができる。
【００２７】
さらに、本発明の実施の形態１によれば、例えば、鉄等の磁性材料をプレス加工して略矩形状を呈する内プレート１４を作製することにより、内プレート１４の外周部にいわゆる「バリ」や「抜きダレ」が形成された場合であっても、内プレート１４は固定部材１６の収容部１７に収容されているので、内プレート１４の外周部に形成された「バリ」や「抜きダレ」がボイスコイル２２に接触し、異音が発生することを抑止することができる。また、ボイスコイル２２の振幅、特に、スピーカ装置の背面側（音響放射方向に対して反対側）への振幅を十分に確保することができる。
【００２８】
また、本発明の実施の形態１によれば、固定部材１６は、例えば、銅、アルミニウム、亜鉛めっき鋼等の高導電率材料から構成され、内プレート１４の表面の大部分を覆っている。つまり、固定部材１６は、いわゆるショート・リングの機能をも有している。このため、スピーカ用磁気回路１を構成する磁性材料の透磁率の非直線性による歪（これを「電流歪」という。）、特に、２次高調波歪の発生を抑止することができる。これにより、スピーカ装置の音響特性、特に、高周波数領域の特性の落ち込みを改善することができる。
【００２９】
さらに、本発明の実施の形態１によれば、上記した従来のスピーカ装置のように、フレームの底部をヨークの底部の下方に配置する必要がないので、スピーカ装置の厚さを比較的薄くすることができる。このため、携帯電話等の携帯用電子機器が有する規定のスペースにスピーカ装置を比較的容易に収容することができる。
【００３０】
また、本発明の実施の形態１によれば、固定部材１６を構成する上板部１６ａに開口部１６ａａが穿設されているので、第１振動部３１が固定部材１６に接触することを抑止することができるとともに、携帯電話等の携帯用電子機器が有する規定の高さに合わせつつ、第１振動部３１を含む振動板２１の全高を比較的大きくすることができる。
【００３１】
さらに、本発明の実施の形態１によれば、ヨーク１１に穿設された貫通孔１１ｅ、１１ｆ、１１ｇ及び１１ｈを通気孔として用いることができる。したがって、貫通孔１１ｅ、１１ｆ、１１ｇ及び１１ｈの大きさを調整することにより、スピーカ装置の背圧を制御してスピーカ装置の最低共振周波数ｆ０を調整できる等、スピーカ装置の音響特性を向上させることができる。また、スピーカ用磁気回路内の温度を比較的低くでき、長期間に亘って安定してスピーカ装置を駆動させることができる。
【００３２】
実施の形態２．
図７は、本発明の実施の形態２に係るスピーカ用磁気回路４１を適用したスピーカ装置において振動体を取り除いた状態における構成を示す概略断面図、図８は、図７に示すスピーカ装置の構成を示す背面図である。また、図９は、図７に示すスピーカ装置を構成するヨーク４３の構成を示す背面図、図１０は、図７に示すスピーカ装置を構成する固定部材４２の構成を示す斜視図である。図７〜図１０において、図１〜図６の各部に対応する部分には同一の符号を付け、その説明を省略する。
【００３３】
図７及び図８に示すスピーカ装置が図１〜図４に示すスピーカ装置と異なる点は、スピーカ用磁気回路１に換えて、スピーカ用磁気回路４１が新たに設けられている点である。スピーカ用磁気回路４１は、ヨーク４３と内プレート１４（図示略）及び外プレート１５とにより内磁石１２及び外磁石１３を挟持する内磁型であって、内プレート１４及び内磁石１２が固定部材４２によりヨーク４３に固定されている。
なお、本実施の形態２では、内磁型のスピーカ用磁気回路４１を採用する例を示しているが、これに限定されず、後述するボイスコイルに対し外側に磁石が配置される外磁型のスピーカ用磁気回路、ボイスコイルに対し内側にのみ磁石が配置される内磁型のスピーカ用磁気回路を採用しても良い。
また、本実施の形態２では、内磁石１２及び外磁石１３はその厚さ方向に着磁されている例を示しているが、これに限定されず、厚さ方向に対し交差する方向、例えば水平方向に着磁された、いわゆる「ラジアル型磁石」を用いても構わない。ラジアル型磁石を用いる場合には、内プレート１４及び外プレート１５を用いなくても良いので、スピーカ用磁気回路４１は、ヨーク４３と内磁石１２及び外磁石１３を有することになる。
【００３４】
ヨーク４３は、例えば、上記したヨーク１１と同一素材により構成されている。まず、ヨーク４３の平面の全体形状が略矩形状を呈している点及び四隅に面取りが施されている点は、ヨーク１１と同様である。また、貫通孔４３ｅ、４３ｆ、４３ｇ及び４３ｈは、いずれも略同一の矩形状を呈しており、略同一寸法である。
【００３５】
次に、図９に示すヨーク４３が図５に示すヨーク１１と異なる点は、以下の通りである。すなわち、図５においては、貫通孔１１ｅ、１１ｆ、１１ｇ及び１１ｈは、いずれもヨーク１１の対応する４辺１１ａ、１１ｂ、１１ｃ及び１１ｄのそれぞれの中央から平行な位置に穿設されている。これに対し、図９においては、貫通孔４３ｅ及び４３ｇはヨーク４３の対応する２辺４３ａ及び４３ｃのそれぞれの中央から平行な位置に穿設されているが、貫通孔４３ｆ及び４３ｈはヨーク４３の対応する２辺４３ｂ及び４３ｄのそれぞれの中央から平行な位置よりわずかに左右にずれて穿設されている。
【００３６】
固定部材４２は、例えば、上記した固定部材１６と同一素材により構成されている。まず、図１０に示すように、固定部材４２が平面の全体形状が略矩形状を呈している点と、上部外周四隅に面取りが施されている点については、上記した固定部材１６（図６参照）と同様である。また、固定部材４２が、上板部４２ａと、角環部４２ｂと、垂下部４２ｃ、４２ｄ、４２ｅ及び４２ｆとが一体に形成されて構成されている点も上記した固定部材１６（図５参照）と同様である。さらに、上板部４２ａに略矩形状を呈する開口部４２ａａが穿設されている点も上記した固定部材１６（図６参照）と同様である。
【００３７】
次に、図１０に示す固定部材４２が図６に示す固定部材１６と異なる点は、以下の通りである。すなわち、図６においては、垂下部１６ｃ、１６ｄ、１６ｅ及び１６ｆは、対応する角環部１６ｂの四辺の略中央に接続されている。また、垂下部１６ｃ、１６ｄ、１６ｅ及び１６ｆは、対応する角環部１６ｂの四辺との接続部とそれぞれの先端１６ｃａ、１６ｄａ、１６ｅａ及び１６ｆａまで、同一幅に形成されている。
【００３８】
これに対し、図１０においては、垂下部４２ｃ及び４２ｅは、対応する角環部４２ｂの二辺の略中央に接続されているが、垂下部４２ｄ及び４２ｆは、対応する角環部４２ｂの二辺の略中央からわずかにずれて接続されている。図１０の例では、垂下部４２ｄは、対応する角環部４２ｂの辺の略中央からわずかに図中左側にずれて接続されているのに対し、垂下部４２ｆは、対応する角環部４２ｂの辺の略中央からわずかに図中右側にずれて接続されている。つまり、垂下部４２ｃ及び４２ｅは、内面がすべて対向しているのに対し、垂下部４２ｄ及び４２ｆは、内面の一部のみが対向している。この垂下部４２ｃ及び４２ｅの位置関係は、上記したヨーク４３における貫通孔４３ｆと４３ｈの位置関係に対向している。
【００３９】
次に、垂下部４２ｃ、４２ｄ、４２ｅ及び４２ｆは、対応する角環部４２ｂの四辺との接続部からそれぞれの全長略３分の２までの位置４２ｃａ、４２ｄａ、４２ｅａ及び４２ｆａは、同一幅に形成されている。しかし、垂下部４２ｃ、４２ｄ、４２ｅ及び４２ｆにおいて、各位置４２ｃａ、４２ｄａ、４２ｅａ及び４２ｆａからそれぞれの先端４２ｃｂ、４２ｄｂ、４２ｅｂ及び４２ｆｂまでは、互いに干渉しないように、幅が狭く形成されている。以上説明した固定部材４２は、内磁石１２及び内プレート１４（図示略）が収容される収容部４４と、ヨーク４３の底部に係合する係合部４５とから構成されているということができる。なお、スピーカ用磁気回路４１の組み立て方法については、上記した実施の形態１におけるスピーカ用磁気回路１の組み立て方法と略同様である。
【００４０】
このように、本発明の実施の形態２によれば、固定部材４２がヨーク４３と係合する係合部４５の位置をヨーク４３の下面中心４３ｊから外して、係合部４５の長さを確保している。上記した実施の形態１における図４〜図６の例では、貫通孔１１ｆと貫通孔１１ｈと、垂下部１６ｄと垂下部１６ｆとがいずれも、ヨーク１１及び固定部材１６の長手方向の中心線に対して線対称である一方、図８〜図１０の例では、貫通孔１１ｆと貫通孔１１ｈと、垂下部１６ｄと垂下部１６ｆとがいずれも、ヨーク４３の下面中心４３ｊ及び固定部材４２の中心に対し点対称である。これにより、本発明の実施の形態２によるスピーカ用磁気回路４１は、上記した実施の形態１によるスピーカ用磁気回路１と比較して、ヨーク４３と固定部材４２との接触面積を大きく確保することができるので、その分固定強度を大きくすることができる。
【００４１】
実施の形態３．
図１１は、本発明の実施の形態３に係るスピーカ用磁気回路５１を適用したスピーカ装置において振動体を取り除いた状態における構成を示す概略断面図、図１２は、図１１に示すスピーカ装置の構成を示す背面図である。また、図１３は、図１１に示すスピーカ装置を構成する固定部材５２の構成を示す斜視図である。図１１〜図１３において、図１〜図５の各部に対応する部分には同一の符号を付け、その説明を省略する。
【００４２】
図１１及び図１２に示すスピーカ装置が図１〜図４に示すスピーカ装置と異なる点は、スピーカ用磁気回路１に換えて、スピーカ用磁気回路５１が新たに設けられている点である。スピーカ用磁気回路５１は、ヨーク１１と内プレート１４及び外プレート１５とにより内磁石１２及び外磁石１３を挟持する内磁型であって、内プレート１４及び内磁石１２が固定部材５２によりヨーク１１に固定されている。
なお、本実施の形態３では、内磁型のスピーカ用磁気回路５１を採用する例を示しているが、これに限定されず、後述するボイスコイルに対し外側に磁石が配置される外磁型のスピーカ用磁気回路、ボイスコイルに対し内側にのみ磁石が配置される内磁型のスピーカ用磁気回路を採用しても良い。
また、本実施の形態３では、内磁石１２及び外磁石１３はその厚さ方向に着磁されている例を示しているが、これに限定されず、厚さ方向に対し交差する方向、例えば水平方向に着磁された、いわゆる「ラジアル型磁石」を用いても構わない。ラジアル型磁石を用いる場合には、内プレート１４及び外プレート１５を用いなくても良いので、スピーカ用磁気回路５１は、ヨーク１１と内磁石１２及び外磁石１３を有することになる。
【００４３】
固定部材５２は、例えば、上記した固定部材１６及び４２と同一素材により構成されている。固定部材５２は、図１３に示すように、平面の全体形状が略十字形状を呈している。固定部材５２は、上板部５２ａと、垂下部５２ｂ、５２ｃ、５２ｄ及び５２ｅとが一体に形成されて構成されている。上板部５２ａは、略矩形状を呈する中央部５２ａａと、中央部５２ａａの四辺から略水平方向に張り出した張出部５２ａｂ、５２ａｃ、５２ａｄ及び５２ａｅとが一体に形成されて構成されている。
【００４４】
張出部５２ａｂと張出部５２ａｃとは中央部５２ａａを挟んで対向し、張出部５２ａｄと張出部５２ａｅとは中央部５２ａａを挟んで対向している。張出部５２ａｂ及び張出部５２ａｃのそれぞれの長さは略同一であり、張出部５２ａｄ及び張出部５２ａｅのそれぞれの長さは略同一である。図１３の例では、張出部５２ａｂ及び張出部５２ａｃのそれぞれの長さは、張出部５２ａｄ及び張出部５２ａｅのそれぞれの長さの略４倍である。
【００４５】
張出部５２ａｂの中央部５２ａａとの接続部と反対側の一端には、垂下部５２ｂが形成され、張出部５２ａｃの中央部５２ａａとの接続部と反対側の一端には、垂下部５２ｄが形成されている。同様に、張出部５２ａｄの中央部５２ａａとの接続部と反対側の一端には、垂下部５２ｃが形成され、張出部５２ａｅの中央部５２ａａとの接続部と反対側の一端には、垂下部５２ｅが形成されている。
【００４６】
固定部材５２は、未使用状態では、垂下部５２ｂ、５２ｃ、５２ｄ及び５２ｅが折り曲げられることなく、それぞれの先端５２ｂａ、５２ｃａ、５２ｄａ及び５２ｅａまで、対応する張出部５２ａｂ、５２ａｃ、５２ａｄ及び５２ａｅの各一端と略同一平面上に位置するように形成されている。垂下部５２ｂ、５２ｃ、５２ｄ及び５２ｅは、対応する張出部５２ａｂ、５２ａｃ、５２ａｄ及び５２ａｅの各一端との接続部とそれぞれの先端５２ｂａ、５２ｃａ、５２ｄａ及び５２ｅａまで、同一幅に形成されている。以上説明した固定部材５２は、内磁石１２及び内プレート１４が収容される収容部５３と、ヨーク１１の底部に係合する係合部５４とから構成されているということができる。なお、スピーカ用磁気回路５１の組み立て方法については、上記した実施の形態１におけるスピーカ用磁気回路１の組み立て方法と略同様である。
【００４７】
このように、本発明の実施の形態３によれば、上記した実施の形態１に係るスピーカ用磁気回路１及びスピーカ用磁気回路１を有するスピーカ装置と同様に、作業効率の向上、十分な固定強度を得ること、異音が発生することを抑止すること、スピーカ装置の背面側（音響放射方向に対して反対側）への振幅を十分に確保すること、スピーカ装置の音響特性、特に、高周波数領域の特性の落ち込みを改善すること、携帯電話等の携帯用電子機器が有する規定のスペースにスピーカ装置を比較的容易に収容すること、第１振動部３１を含む振動板２１の全高を比較的大きくすること、スピーカ装置の音響特性を向上させること、磁気回路内の温度を比較的低くでき、長期間にわかって安定してスピーカ装置を駆動させること、等が可能となる。また、本発明の実施の形態３によれば、固定部材５２を必要最小限の材料で構成できるので、スピーカ用磁気回路５１の軽量化を図ることができる。
【００４８】
実施の形態４．
図１４は、本発明の実施の形態４に係るスピーカ用磁気回路６１を適用したスピーカ装置において振動体を取り除いた状態における構成を示す概略断面図、図１５は、図１４に示すスピーカ装置の構成を示す背面図である。図１４及び図１５において、図１１及び図１２の各部に対応する部分には同一の符号を付け、その説明を省略する。
【００４９】
図１４及び図１５に示すスピーカ装置が図１１及び図１２に示すスピーカ装置と異なる点は、スピーカ用磁気回路５１に換えて、スピーカ用磁気回路６１が新たに設けられている点である。スピーカ用磁気回路６１は、ヨーク６２と内プレート１４及び外プレート１５とにより内磁石１２及び外磁石１３を挟持する内磁型であって、内プレート１４及び内磁石１２が固定部材５２によりヨーク６２に固定されている。
なお、本実施の形態４では、内磁型のスピーカ用磁気回路６１を採用する例を示しているが、これに限定されず、後述するボイスコイルに対し外側に磁石が配置される外磁型のスピーカ用磁気回路、ボイスコイルに対し内側にのみ磁石が配置される内磁型のスピーカ用磁気回路を採用しても良い。
また、本実施の形態４では、内磁石１２及び外磁石１３はその厚さ方向に着磁されている例を示しているが、これに限定されず、厚さ方向に対し交差する方向、例えば水平方向に着磁された、いわゆる「ラジアル型磁石」を用いても構わない。ラジアル型磁石を用いる場合には、内プレート１４及び外プレート１５を用いなくても良いので、スピーカ用磁気回路６１は、ヨーク６２と内磁石１２及び外磁石１３を有することになる。
【００５０】
ヨーク６２は、例えば、上記したヨーク１１及び４３と同一素材により構成されている。まず、ヨーク６２において、平面の全体形状が略矩形状を呈している点、四隅に面取りが施されている点及び貫通孔６２ｅ、６２ｆ、６２ｇ及び６２ｈがいずれも略同一の矩形状を呈しており、略同一寸法である点は、ヨーク１１及び４３と同様である。また、ヨーク６２における貫通孔６２ｅ、６２ｆ、６２ｇ及び６２ｈの位置関係は、ヨーク１１における貫通孔１１ｅ、１１ｆ、１１ｇ及び１１ｈの位置関係と同様である。
【００５１】
次に、図１４に示すヨーク６２が図１１に示すヨーク１１と異なる点は、以下の通りである。すなわち、図１１においては、ヨーク１１の底部が同一平面を形成しているのに対し、図１４においては、固定部材５２を構成する垂下部５２ｂ、５２ｃ、５２ｄ及び５２ｅの折り曲げられた部分が挿入される凹部６２ｉ、６２ｊ、６２ｋ及び６２ｍが形成されている。なお、スピーカ用磁気回路６１の組み立て方法については、上記した実施の形態１におけるスピーカ用磁気回路１の組み立て方法と略同様である。
【００５２】
このように、本発明の実施の形態４によれば、上記した実施の形態３に係るスピーカ用磁気回路５１及びスピーカ用磁気回路５１を有するスピーカ装置と同様に、作業効率の向上、十分な固定強度を得ること、異音が発生することを抑止すること、スピーカ装置の背面側（音響放射方向に対して反対側）への振幅を十分に確保すること、スピーカ装置の音響特性、特に、高周波数領域の特性の落ち込みを改善すること、携帯電話等の携帯用電子機器が有する規定のスペースにスピーカ装置を比較的容易に収容すること、第１振動部３１を含む振動板２１の全高を比較的大きくすること、スピーカ装置の音響特性を向上させること、磁気回路内の温度を比較的低くでき、長期間にわかって安定してスピーカ装置を駆動させること、等が可能となる。また、本発明の実施の形態４によれば、係合部５４を構成する垂下部５２ｂ、５２ｃ、５２ｄ及び５２ｅの折り曲げられた部分が凹部６２ｉ、６２ｊ、６２ｋ及び６２ｍに挿入されるので、上記した実施の形態３と比較して、固定部材５２の係合部５４の厚さ分だけ、スピーカ用磁気回路６１の厚さを薄くすることができる。スピーカ用磁気回路６１の厚さを薄くできるので、スピーカ装置を薄くすることができ、規定のスペースにスピーカ装置を収納することができる。
【００５３】
実施の形態５．
以上説明した実施の形態１〜４に係るスピーカ装置は、携帯電話、携帯ラジオあるいはＰＤＡ等の携帯用電子機器に搭載されて使用される。例えば、携帯電話は、表示合成回路、アンテナ、通信部、ＭＰＵ、記憶部、操作部、送受話部、表示部等から概略構成されている。表示合成回路は、ＭＰＵから供給される静止又は動画像データと、電池の電池残量情報やアンテナの感度情報等の携帯電話内部の情報とを合成して表示部に表示する。通信部は、基地局から送信される無線電話信号をアンテナを介して受信して音声信号、静止画像データ、動画像データ、通信データ、あるいは制御信号に復調してＭＰＵに供給する。また、通信部は、ＭＰＵから供給される音声信号、静止画像データ、動画像データ、通信データ、あるいは制御信号を無線電話信号に変調してアンテナを介して上記基地局に送信する。
【００５４】
ＭＰＵは、記憶部に記憶されている各種プログラムを実行してこの携帯電話の各部を制御するとともに、通信部から供給される制御信号をＭＰＵ内部の処理に用いる。また、ＭＰＵは、通信部から供給される音声信号を処理して送受話部に供給するとともに、送受話部から供給される音声信号を処理して通信部に供給する。さらに、ＭＰＵは、通信部から供給される静止画像データ、動画像データを処理して表示合成回路に供給するとともに、カメラ部から供給される静止画像データ、動画像データを処理して通信部に供給する。記憶部は、ＭＰＵが実行する各種プログラムや、使用者が操作部を操作することにより設定した相手先の電話番号等の各種データが記憶される。
【００５５】
操作部は、相手先の電話番号等の入力に用いられるテンキーや、通話許可、通話終了、表示の切換、現在の日付の修正等を指示するための各種のボタンからなる。送受話部は、上記した実施の形態１〜４のいずれかに係るスピーカ装置及びマイクからなる。送受話部は、ＭＰＵから供給される音声信号に基づいてスピーカ装置から音声を放出するとともに、マイクによって音声から変換された音声信号をＭＰＵに供給することにより、相手先との通話等に用いられる。表示部は、表示器と、これらを駆動する駆動回路等とからなる。このように、本発明の実施の形態５によれば、携帯電話が有する規定のスペースにスピーカ装置を収容することが可能となる。
【００５６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
また、上述の各実施の形態は、その目的及び構成等に特に矛盾や問題がない限り、互いの技術を流用することができる。
【図面の簡単な説明】
【００５７】
【図１】本発明の実施の形態１に係るスピーカ用磁気回路を適用したスピーカ装置の構成を示す概略断面図である。
【図２】図１に示すスピーカ装置において振動体を取り除いた状態における構成のうち、図１とは異なる部分で切断した概略断面図である。
【図３】図２に示すスピーカ装置において外プレートを取り除いた状態における斜視図である。
【図４】図１に示すスピーカ装置の構成を示す背面図である。
【図５】図１に示すスピーカ装置を構成するヨークの構成を示す背面図である。
【図６】図１に示すスピーカ装置を構成する固定部材の構成を示す斜視図である。
【図７】本発明の実施の形態２に係るスピーカ用磁気回路を適用したスピーカ装置において振動体を取り除いた状態における構成を示す概略断面図である。
【図８】図７に示すスピーカ装置の構成を示す背面図である。
【図９】図７に示すスピーカ装置を構成するヨークの構成を示す平面図である。
【図１０】図７に示すスピーカ装置を構成する固定部材の構成を示す斜視図である。
【図１１】本発明の実施の形態３に係るスピーカ用磁気回路を適用したスピーカ装置において振動体を取り除いた状態における構成を示す概略断面図である。
【図１２】図１１に示すスピーカ装置の構成を示す背面図である。
【図１３】図１１に示すスピーカ装置を構成する固定部材５２の構成を示す斜視図である。
【図１４】本発明の実施の形態４に係るスピーカ用磁気回路を適用したスピーカ装置において振動体を取り除いた状態における構成を示す概略断面図である。
【図１５】図１４に示すスピーカ装置の構成を示す背面図である。
【符号の説明】
【００５８】
１，４１，５１，６１…スピーカ用磁気回路、２…フレーム、２ａ…上面、３…振動体、１１，４３，６２…ヨーク、１１ａ，１１ｂ，１１ｃ，１１ｄ，４３ａ，４３ｂ，４３ｃ，４３ｄ，６２ａ，６２ｂ，６２ｃ，６２ｄ，…辺、１１ｅ，１１ｆ，１１ｇ，１１ｈ，４３ｅ，４３ｆ，４３ｇ，４３ｈ，６２ｅ，６２ｆ，６２ｇ，６２ｈ…貫通孔、１１ｊ，４３ｊ…下面（底部）中心、１１ｍ…周辺部、１２…内磁石、１３…外磁石、１４…内プレート、１５…外プレート、１６，４２，５２…固定部材、１６ａ，４２ａ，５２ａ…上板部、１６ａａ，４２ａａ…開口部、１６ｂ，４２ｂ…角環部、１６ｃ，１６ｄ，１６ｅ，１６ｆ，４２ｃ，４２ｄ，４２ｅ，４２ｆ，５２ｂ，５２ｃ，５２ｄ，５２ｅ…垂下部、１６ｃａ，１６ｄａ，１６ｅａ，１６ｆａ，４２ｃｂ，４２ｄｂ，４２ｅｂ，４２ｆｂ，５２ｂａ，５２ｃａ，５２ｄａ，５２ｅａ…先端、１７，４４，５３…収容部、１８，４５，５４…係合部、２１…振動板、２２…ボイスコイル、２３…バッフル、３１…第１振動部、３２…ボイスコイル支持部（ボイスコイルボビン）、３３…第２振動部、３４…エッジ、４２ｃａ，４２ｄａ，４２ｅａ，４２ｆａ…位置、５２ａａ…中央部、５２ａｂ，５２ａｃ，５２ａｄ，５２ａｅ…張出部、６２ｉ，６２ｊ，６２ｋ，６２ｍ…凹部
【図１】
2010154443.tif 000003
【図２】
2010154443.tif 000004
【図３】
2010154443.tif 000005
【図４】
2010154443.tif 000006
【図５】
2010154443.tif 000007
【図６】
2010154443.tif 000008
【図７】
2010154443.tif 000009
【図８】
2010154443.tif 000010
【図９】
2010154443.tif 000011
【図１０】
2010154443.tif 000012
【図１１】
2010154443.tif 000013
【図１２】
2010154443.tif 000014
【図１３】
2010154443.tif 000015
【図１４】
2010154443.tif 000016
【図１５】
2010154443.tif 000017